(57)【特許請求の範囲】
【請求項１】
制御チャネル干渉協調方法であって、
被害ユーザ情報の報告方式と、報告すべき被害ユーザ情報とが含まれているリソース状態要求メッセージを送信するステップを含み、
前記制御チャネル干渉協調方法は、
リソース状態応答メッセージを受信する場合、
被害ユーザ情報を受信するステップと、
前記被害ユーザ情報に基づいて制御チャネルのための物理リソース情報を特定するステップと、
前記物理リソース情報に基づいて、物理リソースを整理して割り当てるステップと、
前記物理リソース情報を伝送するステップとをさらに含み、
失敗原因と待機時間とが含まれているリソース状態失敗メッセージを受信する場合、
前記失敗原因に基づいてリソース状態要求を再送するか否かを決定し、前記リソース状態要求の再送が必要と決定した場合、前記待機時間までに、前記リソース状態要求を再送するステップをさらに含む制御チャネル干渉協調方法。
【請求項２】
前記被害ユーザ情報に基づいて制御チャネルのための物理リソース情報を特定するステップは、物理リソースを再割り当てる必要があると判定した場合、前記被害ユーザ情報に基づいて制御チャネルのための物理リソース情報を特定する請求項１に記載の制御チャネル干渉協調方法。
【請求項３】
物理リソースを再割り当てる必要があると判定することは、
被害ユーザへ割り当てられた物理リソースの数と、単位物理リソースに収容されたユーザの数とに基づいて、被害ユーザへ割り当てられている現在の物理リソースに収容されているユーザの数を算出することと、
被害ユーザの数が被害ユーザへ割り当てられている現在の物理リソースに収容されているユーザの数に対する割合が所定比に達したこと、あるいは、
被害ユーザの数が被害ユーザへ割り当てられている現在の物理リソースに収容されているユーザの数に等しいこと、あるいは、
被害ユーザの数が被害ユーザへ割り当てられている現在の物理リソースに収容されているユーザの数を上回ったこと、を満たす場合、
物理リソースを再割り当てる必要があると判定することとを含む請求項２に記載の制御チャネル干渉協調方法。
【請求項４】
前記制御チャネルのための物理リソース情報は、リソースブロックの開始位置と、リソースブロックの数とを含む請求項１に記載の制御チャネル干渉協調方法。
【請求項５】
前記制御チャネルのための物理リソース情報は、負荷情報メッセージを送信することで伝送される請求項１に記載の制御チャネル干渉協調方法。
【請求項６】
前記物理リソース情報に基づいて物理リソースを整理して割り当てるステップは、
前記物理リソース情報に基づいて物理リソースプールを整理することと、
割り当てられた物理リソースが前記物理リソースプール内に存在しない場合、前記割り当てられた物理リソースを回収し、前記物理リソースプールに基づいて物理リソースを再割り当てることとを含む請求項１乃至５の何れかに記載の制御チャネル干渉協調方法。
【請求項７】
制御チャネル干渉協調方法であって、
被害ユーザ情報の報告方式と、報告すべき被害ユーザ情報とが含まれているリソース状態要求メッセージを受信し、現在の干渉状況に基づいて、受信した前記被害ユーザ情報の報告方式および前記報告すべき被害ユーザ情報が適切であるか否かを判断するステップを含み、
前記制御チャネル干渉協調方法は、
前記被害ユーザ情報の報告方式および前記報告すべき被害ユーザ情報が適切であると判断する場合、
加害セル基地局へリソース状態応答メッセージを返信するステップと、
被害ユーザ情報を測定して報告するステップと、
制御チャネルのための物理リソース情報を受信するステップと、
前記物理リソース情報に基づいて物理リソースを整理して割り当てるステップとをさらに含み、
前記被害ユーザ情報の報告方式および前記報告すべき被害ユーザ情報が適切でないと判断する場合、
前記加害セル基地局へ失敗原因と待機時間とが含まれているリソース状態失敗メッセージを返信するステップをさらに含む制御チャネル干渉協調方法。
【請求項８】
前記物理リソース情報に基づいて物理リソースを整理して割り当てるステップは、
前記物理リソース情報に基づいて物理リソースプールを整理することと、
割り当てられた物理リソースが前記物理リソースプールの範囲内に存在しない場合、当該物理リソースを回収し、前記物理リソースプールに基づいて物理リソースを割り当てることとを含む請求項７に記載の制御チャネル干渉協調方法。
【請求項９】
制御チャネル干渉協調方法であって、
加害セル基地局が被害ユーザ情報の報告方式と、報告すべき被害ユーザ情報とが含まれているリソース状態要求メッセージを被害セル基地局へ伝送するステップと、
前記被害セル基地局が前記リソース状態要求メッセージを前記加害セル基地局から受信し、現在の干渉状況に基づいて、受信した前記被害ユーザ情報の報告方式および前記報告すべき被害ユーザ情報が適切であるか否かを判断するステップとを含み、
前記制御チャネル干渉協調方法は、
前記被害セル基地局が前記被害ユーザ情報の報告方式および前記報告すべき被害ユーザ情報が適切であると判断する場合、
前記被害セル基地局が加害セル基地局へリソース状態応答メッセージを返信するステップと、
前記被害セル基地局が前記被害ユーザ情報を測定し、前記加害セル基地局へ報告するステップと、
前記加害セル基地局が前記被害ユーザ情報に基づいて制御チャネルのための物理リソース情報を特定し、前記物理リソース情報を前記被害セル基地局へ伝送するステップと、
前記加害セル基地局と前記被害セル基地局のそれぞれが前記物理リソース情報に基づいて物理リソースを整理して割り当てるステップとをさらに含み、
前記被害セル基地局が前記被害ユーザ情報の報告方式および前記報告すべき被害ユーザ情報が適切でないと判断する場合、
前記被害セル基地局が前記加害セル基地局へ失敗原因と待機時間とが含まれているリソース状態失敗メッセージを返信するステップと、
前記加害セル基地局が前記リソース状態失敗メッセージを前記被害セル基地局から受信すると、前記失敗原因に基づいてリソース状態要求を再送するか否かを決定し、前記リソース状態要求の再送が必要と決定した場合、前記待機時間までに、前記リソース状態要求を再送するステップとをさらに含む制御チャネル干渉協調方法。
【請求項１０】
被害セル基地局と、加害セル基地局とを含み、
前記被害セル基地局は、加害セル基地局が被害ユーザ情報の報告方式と、報告すべき被害ユーザ情報とが含まれているリソース状態要求メッセージを前記加害セル基地局から受信し、現在の干渉状況に基づいて、受信した前記被害ユーザ情報の報告方式および前記報告すべき被害ユーザ情報が適切であるか否かを判断し、前記被害ユーザ情報の報告方式および前記報告すべき被害ユーザ情報が適切であると判断する場合、加害セル基地局へリソース状態応答メッセージを返信し、前記被害ユーザ情報を測定して加害セル基地局へ報告し、前記加害セル基地局から伝送された制御チャネルのための物理リソース情報を受信し、前記物理リソース情報に基づいて物理リソースを整理して割り当て、前記被害ユーザ情報の報告方式および前記報告すべき被害ユーザ情報が適切でないと判断する場合、前記加害セル基地局へ失敗原因と待機時間とが含まれているリソース状態失敗メッセージを返信するように構成され、
前記加害セル基地局は、前記リソース状態要求メッセージを被害セル基地局へ伝送し、前記リソース状態応答メッセージを受信する場合、被害セル基地局から報告された被害ユーザ情報を受信し、受信した前記被害ユーザ情報に基づいて制御チャネルのための物理リソース情報を特定し、前記物理リソース情報に基づいて物理リソースを整理して割り当て、前記物理リソース情報を被害セル基地局へ伝送し、前記リソース状態失敗メッセージを受信する場合、前記失敗原因に基づいてリソース状態要求を再送するか否かを決定し、前記リソース状態要求の再送が必要と決定した場合、前記待機時間までに、前記リソース状態要求を再送するように構成される制御チャネル干渉協調システム。
【請求項１１】
前記加害セル基地局は、さらに、受信した被害ユーザ情報に基づいて物理リソースを再割り当てる必要があるか否かを判断するように構成される請求項１０に記載の制御チャネル干渉協調システム。
【請求項１２】
制御チャネル干渉協調装置であって、
被害ユーザ情報を受信するように構成される受信モジュールと、
制御チャネルのための物理リソース情報を特定し、前記物理リソース情報に基づいて物理リソースを整理して割り当てるように構成される再割当モジュールと、
前記物理リソース情報を伝送するように構成される伝送モジュールとを備え、
前記制御チャネル干渉協調装置は、加害セル基地局が被害ユーザ情報の報告方式と、報告すべき被害ユーザ情報とが含まれているリソース状態要求メッセージを伝送し、リソース状態応答メッセージ又は失敗原因と待機時間とが含まれているリソース状態失敗メッセージを受信し、前記リソース状態失敗メッセージを受信する場合、前記失敗原因に基づいてリソース状態要求を再送するか否かを決定し、前記リソース状態要求の再送が必要と決定した場合、前記待機時間までに、前記リソース状態要求を再送する制御チャネル干渉協調装置。
【請求項１３】
受信された被害ユーザ情報に基づいて物理リソースを再割り当てる必要があるか否かを判断するように構成される判定モジュールをさらに備える請求項１２に記載の制御チャネル干渉協調装置。
【請求項１４】
制御チャネル干渉協調装置であって、
被害ユーザ情報を測定するように構成される測定モジュールと、
被害ユーザ情報を報告するように構成される報告モジュールと、
制御チャネルのための物理リソース情報を受信するように構成される受信モジュールと、
前記物理リソース情報に基づいて物理リソースを整理して割り当てるように構成される再割当モジュールとを備え、
前記受信モジュールは、さらに、被害ユーザ情報の報告方式と、報告すべき被害ユーザ情報とを受信するように構成され、
前記制御チャネル干渉協調装置は、受信された前記被害ユーザ情報の報告方式および前記報告すべき被害ユーザ情報が適切であるか否かを判断し、適切であれば、リソース状態応答メッセージを返信し、適切でなければ、失敗原因と待機時間とが含まれているリソース状態失敗メッセージを返信するように構成される判断モジュールをさらに備える制御チャネル干渉協調装置。
【請求項１５】
請求項１２及び／又は請求項１４に記載の制御チャネル干渉協調装置を含む基地局。
【請求項１６】
１セットのコンピュータ実行可能な命令を含み、前記命令は、請求項１乃至６の何れかに記載の制御チャネル干渉協調方法を実行するために用いられるコンピュータ読取可能な記憶媒体。
【請求項１７】
１セットのコンピュータ実行可能な命令を含み、前記命令は、請求項７又は８に記載の制御チャネル干渉協調方法を実行するために用いられるコンピュータ読取可能な記憶媒体。
【発明の詳細な説明】
【技術分野】
【０００１】
本発明は、通信システムの干渉協調分野に関し、特に長期的進化（ＬＴＥ、Ｌｏｎｇ Ｔｅｒｍ Ｅｖｏｌｕｔｉｏｎ）通信システムのヘテロジニアスネットワーク（ＨｅｔＮｅｔ、Ｈｅｔｅｒｏｇｅｎｅｏｕｓ Ｎｅｔｗｏｒｋ）における制御チャネル干渉協調方法、システム、装置および基地局に関する。
【背景技術】
【０００２】
ＨｅｔＮｅｔとは、低電力ノート（ＬＰＮ、Ｌｏｗ Ｐｏｗｅｒ Ｎｏｄｅ）がマクロ基地局のカバレッジエリア内に配置されて、同カバレッジの異なるノードタイプのヘテロジニアスネットワークが形成されることを指す。ＨｅｔＮｅｔは、信号のカバレッジを強化し、システムの容量を非常に大きく増やす。しかし、マクロ基地局の送信電力がＬＰＮよりも遥かに大きいため、マクロ基地局がＬＰＮにおける境界ユーザの下り受信へ干渉を与え、また、マクロ基地局の境界に位置する大電力端末が近辺のＬＰＮへ干渉を与える。その際、上記干渉を与えるマクロ基地局は、加害セル基地局となり、干渉を受けるＬＰＮは、被害セル基地局となる。ＨｅｔＮｅｔにおけるセル間干渉を解決するために、時間領域セル間干渉協調技術を導入する。時間領域セル間干渉協調技術では、オールモーストブランクサブフレーム（ＡＢＳ、Ａｌｍｏｓｔ Ｂｌａｎｋ Ｓｕｂｆｒａｍｅ）の導入により、加害セル基地局と被害セル基地局とが異なるサブフレーム上にスケジューリングされるため、加害セル基地局と被害セル基地局との間の干渉は低減する。しかし、被害セル基地局がＡＢＳの物理リソースのみを使用する場合、物理リソースの利用率が低下するとともに、非ＡＢＳにおいて制御情報を伝送できないため、ユーザ体験を損なう。また、被害セル基地局が非ＡＢＳの物理リソースを利用できるように非ＡＢＳ上における制御チャネルの電力を制御する場合、被害セル基地局の制御チャネルのリソース利用率を高めるが、加害セル基地局の制御チャネル上の制御情報の伝送へ影響を与えるし、電力制御が複雑になり、正確度も把握しにくい。
【発明の概要】
【発明が解決しようとする課題】
【０００３】
上記背景技術に存在する欠陥に対して、本発明の実施例は、制御チャネル干渉協調方法、システム、装置および基地局を提供する。
【課題を解決するための手段】
【０００４】
本発明の実施例は、制御チャネル干渉協調方法を提供する。当該方法は、被害ユーザ情報を受信するステップと、前記被害ユーザ情報に基づいて制御チャネルのための物理リソース情報を特定するステップと、前記物理リソース情報に基づいて、物理リソースを整理して割り当てるステップと、前記物理リソース情報を伝送するステップとを含む。
【０００５】
好ましくは、上記方法は、被害ユーザ情報の報告方式と、報告すべき被害ユーザ情報とを送信するステップをさらに含む。
【０００６】
好ましくは、前記被害ユーザ情報に基づいて制御チャネルのための物理リソース情報を特定するステップは、物理リソースを再割り当てる必要があると判定した場合、前記被害ユーザ情報に基づいて制御チャネルのための物理リソース情報を特定する。
【０００７】
好ましくは、物理リソースを再割り当てる必要があると判定することは、被害ユーザへ割り当てられた物理リソースの数と、単位物理リソースに収容されたユーザの数とに基づいて、被害ユーザへ割り当てられている現在の物理リソースに収容されているユーザの数を算出することと、被害ユーザの数が被害ユーザへ割り当てられている現在の物理リソースに収容されているユーザの数に対する割合が所定比に達したこと、あるいは、被害ユーザの数が被害ユーザへ割り当てられている現在の物理リソースに収容されているユーザの数に等しいこと、あるいは、被害ユーザの数が被害ユーザへ割り当てられている現在の物理リソースに収容されているユーザの数を上回ったこと、を満たす場合、物理リソースを再割り当てる必要があると判定することとを含む。
【０００８】
好ましくは、前記被害ユーザ情報の報告方式と、報告すべき被害ユーザ情報とを送信することは、リソース状態要求メッセージを送信することで実施される。
【０００９】
好ましくは、前記制御チャネルのための物理リソース情報は、リソースブロックの開始位置と、リソースブロックの数とを含む。
【００１０】
好ましくは、前記制御チャネルのための物理リソース情報は、負荷情報メッセージを送信することで伝送される。
【００１１】
好ましくは、前記物理リソース情報に基づいて物理リソースを整理して割り当てるステップは、前記物理リソース情報に基づいて物理リソースプールを整理することと、割り当てられた物理リソースが前記物理リソースプール内に存在しない場合、前記割り当てられた物理リソースを回収し、前記物理リソースプールに基づいて物理リソースを再割り当てることとを含む。
【００１２】
対応的に、本発明の実施例は、別の制御チャネル干渉協調方法を提供する。当該方法は、被害ユーザ情報を測定して報告するステップと、制御チャネルのための物理リソース情報を受信するステップと、前記物理リソース情報に基づいて物理リソースを整理して割り当てるステップとを含む。
【００１３】
好ましくは、上記方法は、被害ユーザ情報の報告方式と報告すべき被害ユーザ情報とを受信し、現在の干渉状況に基づいて前記被害ユーザ情報の報告方式および報告すべき被害ユーザ情報が適切であるか否かを判断し、適切であれば、リソース状態応答メッセージを返信し、適切でなければ、リソース状態失敗メッセージを返信するステップをさらに含む。
【００１４】
好ましくは、前記物理リソース情報に基づいて物理リソースを整理して割り当てるステップは、前記物理リソース情報に基づいて物理リソースプールを整理することと、
割り当てられた物理リソースが前記物理リソースプールの範囲内に存在しない場合、当該物理リソースを回収し、前記物理リソースプールに基づいて物理リソースを割り当てることとを含む。
【００１５】
本発明の実施例は、さらに別の制御チャネル干渉協調方法を提供する。当該方法は、被害セル基地局が被害ユーザ情報を測定し、加害セル基地局へ報告するステップと、加害セル基地局が前記被害ユーザ情報に基づいて制御チャネルのための物理リソース情報を特定し、前記物理リソース情報を被害セル基地局へ伝送するステップと、加害セル基地局と被害セル基地局のそれぞれが前記物理リソース情報に基づいて物理リソースを整理して割り当てるステップとを含む。
【００１６】
好ましくは、前記方法は、加害セル基地局と被害セル基地局とが被害ユーザ情報の報告方式および報告すべき被害ユーザ情報をネゴシエートするステップをさらに含む。
【００１７】
本発明の実施例は、さらに、制御チャネル干渉協調システムを提供する。当該システムは、被害セル基地局と、加害セル基地局とを含み、前記被害セル基地局は、被害ユーザ情報を測定して加害セル基地局へ報告し、加害セル基地局から伝送された制御チャネルのための物理リソース情報を受信し、前記物理リソース情報に基づいて物理リソースを整理して割り当てるように構成され、前記加害セル基地局は、被害セル基地局から報告された被害ユーザ情報を受信し、受信した前記被害ユーザ情報に基づいて制御チャネルのための物理リソース情報を特定し、前記物理リソース情報に基づいて物理リソースを整理して割り当て、再割当後の前記物理リソース情報を被害セル基地局へ伝送するように構成される。
【００１８】
好ましくは、前記加害セル基地局は、さらに、受信した被害ユーザ情報に基づいて物理リソースを再割り当てる必要があるか否かを判断するように構成される。
【００１９】
本発明の実施例は、さらに、制御チャネル干渉協調装置を提供する。当該装置は、被害ユーザ情報を受信するように構成される受信モジュールと、制御チャネルのための物理リソース情報を特定し、前記物理リソース情報に基づいて物理リソースを整理して割り当てるように構成される再割当モジュールと、前記物理リソース情報を伝送するように構成される伝送モジュールとを備える。
【００２０】
好ましくは、上記装置は、受信された被害ユーザ情報に基づいて物理リソースを再割り当てる必要があるか否かを判断するように構成される判定モジュールをさらに備える。
【００２１】
本発明は、別の制御チャネル干渉協調装置を提供する。当該装置は、被害ユーザ情報を測定するように構成される測定モジュールと、被害ユーザ情報を報告するように構成される報告モジュールと、制御チャネルのための物理リソース情報を受信するように構成される受信モジュールと、前記物理リソース情報に基づいて物理リソースを整理して割り当てるように構成される再割当モジュールとを備える。
【００２２】
好ましくは、前記受信モジュールは、さらに、被害ユーザ情報の報告方式と、報告すべき被害ユーザ情報とを受信するように構成され、前記装置は、受信された被害ユーザ情報の報告方式および報告すべき被害ユーザ情報が適切であるか否かを判断し、適切であれば、リソース状態応答メッセージを返信し、適切でなければ、リソース状態失敗メッセージを返信するように構成される判断モジュールをさらに備える。
【００２３】
本発明の実施例は、さらに、基地局を提供する。当該基地局は、上記何れかの制御チャネル干渉協調装置を含む。
【００２４】
本発明の実施例は、さらに、コンピュータ読取可能な記憶媒体を提供する。前記記憶媒体は、１セットのコンピュータ実行可能な命令を含み、前記命令は、本発明の実施例の被害セル基地局側の制御チャネル干渉協調方法を実行するために用いられる。
本発明の実施例は、さらに、コンピュータ読取可能な記憶媒体を提供する。前記記憶媒体は、１セットのコンピュータ実行可能な命令を含み、前記命令は、本発明の実施例の加害セル基地局側の制御チャネル干渉協調方法を実行するために用いられる。
【発明の効果】
【００２５】
本発明の実施例に供される制御チャネル干渉協調方法、システム、装置または基地局によれば、被害セル基地局が被害ユーザのために整理した物理リソースと加害セル基地局のと異なり、加害セル基地局および被害セル基地局の下で干渉のあるユーザが使用する制御チャネルのリソースが完全に直交するため、干渉が低減され、制御情報の伝送へ影響せず、システム性能が向上し、ユーザ体験も向上する。
【図面の簡単な説明】
【００２６】
【図１】本発明の制御チャネル干渉協調方法の実施例の基本ステップの模式図である。
【図２】本発明の第１実施例のフローチャートである。
【図３】本発明の第２実施例のフローチャートである。
【図４】加害セル基地局と被害セル基地局とのネゴシエーション手順の模式図である。
【図５】加害セル基地局の物理リソースの再割当の決定手順のフローチャートである。
【図６】加害セル基地局あるいは被害セル基地局が物理リソースを整理して割り当てるフローチャートである。
【図７】本発明の制御チャネル干渉協調システムおよび装置実施例の模式図である。
【発明を実施するための形態】
【００２７】
本発明の実施例の基本的な思想としては、被害セル基地局が被害ユーザ情報を測定し加害セル基地局へ報告し、加害セル基地局が受信された被害ユーザ情報に基づいて制御チャネルのための物理リソース情報を特定し、当該物理リソース情報を被害セル基地局へ伝送し、前記加害セル基地局と前記被害セル基地局のそれぞれが前記物理リソース情報に基づいて物理リソースを整理してユーザ機器（ＵＥ、Ｕｓｅｒ Ｅｑｕｉｐｍｅｎｔ）へ割り当てる。その中、被害セル基地局によって測定された被害ユーザ情報は、少なくとも被害ユーザの数を含み、被害ユーザ情報を報告する方式としては、報告周期に応じて報告し、または、報告条件に合致するときに報告する。被害セル基地局が報告周期に応じて被害ユーザ情報を報告するとき、加害セル基地局は、さらに、受信された被害ユーザ情報に基づいて物理リソースを再割り当てる必要があるか否かを判断する。
【００２８】
本発明の解決しようとする技術課題、技術案およびメリットをより明確化させるように、図面および具体的な実施例を結合して以下に詳細に説明する。
【００２９】
図１は、本発明の実施例による制御チャネル干渉協調方法の基本的なフローチャートである。当該方法は、以下のステップを含む。
【００３０】
ステップ１０１では、被害セル基地局が被害ユーザ情報を測定し加害セル基地局へ報告する。
【００３１】
ステップ１０２では、加害セル基地局が受信された被害ユーザ情報に基づいて制御チャネルのための物理リソース情報を特定し、当該物理リソース情報を被害セル基地局へ伝送する。
【００３２】
ステップ１０３では、加害セル基地局が物理リソース情報に基づいて物理リソースを整理して割り当てる。
【００３３】
ステップ１０４では、被害セル基地局が受信された物理リソース情報に基づいて物理リソースを整理し、物理リソースをユーザ機器へ割り当てる。
【００３４】
図２は、本発明の第１実施例を示す。本実施例において、制御チャネル干渉協調方法は、以下のステップを含む。
【００３５】
ステップ２０１では、加害セル基地局と被害セル基地局とが被害ユーザ情報の報告方式および報告すべき被害ユーザ情報をネゴシエートする。
【００３６】
前記被害ユーザ情報の報告方式は、報告周期を含み、報告された被害ユーザ情報は、少なくとも被害ユーザの数を含む。
【００３７】
ステップ２０２では、被害セル基地局が被害ユーザ情報を測定し、報告周期に応じて加害セル基地局へ被害ユーザ情報を報告する。
【００３８】
前記被害ユーザ情報は、リソース状態更新メッセージに付加されてもよい。即ち、被害セル基地局は、加害セル基地局へリソース状態更新メッセージを送信することで被害ユーザ情報を報告する。
【００３９】
ステップ２０３では、加害セル基地局が受信された被害ユーザ情報に基づいて、物理リソースを再割り当てる必要があるか否かを判断する。必要な場合、制御チャネルのための物理リソース情報を特定し、当該物理リソース情報を被害セル基地局へ伝送する。
【００４０】
物理リソースを再割り当てる必要がないと判定した場合、ステップ２０２へ戻り、被害セル基地局が被害ユーザ情報を引き続き測定し、報告周期に応じて加害セル基地局へ報告する。
【００４１】
ステップ２０４では、加害セル基地局が上記物理リソース情報に基づいて物理リソースを整理し、そのセルにアクセスされたユーザ機器へ物理リソースを再割り当てる。
ステップ２０５では、被害セル基地局が受信された上記物理リソース情報に基づいて物理リソースを整理し、そのセルにアクセスされたＵＥへ物理リソースを再割り当てる。
【００４２】
図３は、本発明の第２実施例を示し、本実施例の制御チャネル干渉協調方法は、以下のステップを含む。
【００４３】
ステップ３０１では、加害セル基地局と被害セル基地局とが被害ユーザ情報の報告方式および報告すべき被害ユーザ情報をネゴシエートする。
【００４４】
前記被害ユーザ情報の報告方式は、報告条件を含み、報告された被害ユーザ情報は、少なくとも被害ユーザの数を含む。
【００４５】
ステップ３０２では、被害セル基地局が被害ユーザ情報を測定し、報告条件に合致する場合、加害セル基地局へ被害ユーザ情報を報告する。
【００４６】
ステップ３０３では、加害セル基地局が受信された被害ユーザ情報に基づいて、制御チャネルのための物理リソース情報を特定し、当該物理リソース情報を被害セル基地局へ伝送する。
【００４７】
ステップ３０４では、加害セル基地局が上記物理リソース情報に基づいて物理リソースを整理し、そのセルにアクセスされたＵＥへ物理リソースを再割り当てる。
【００４８】
ステップ３０５では、被害セル基地局が受信された上記物理リソース情報に基づいて物理リソースを整理し、そのセルにアクセスされたＵＥへ物理リソースを再割り当てる。
【００４９】
上記制御チャネルのための物理リソース情報を特定することは、具体的に、まず、被害ユーザへ割り当てる必要がある物理リソース数を算出し、次に、算出されたリソース数に基づいて制御チャネルのための物理リソース情報を特定する。その算出方法としては、リソース数が、被害ユーザ数を単位物理リソースに収容されたユーザの数で除算し、その結果を切り上げて整数にしたものである。つまり、リソース数＝被害ユーザ数／単位物理リソースに収容されたユーザの数である。前記物理リソース情報は、リソースブロックの開始位置、およびリソースブロックの数を含む。
【００５０】
上記制御チャネルのための物理リソース情報の伝送は、加害セル基地局が被害セル基地局へ負荷情報メッセージを送信することで実現されてもよい。即ち、負荷情報メッセージに調整後の物理リソース情報を含める。前記負荷情報メッセージは、基地局が隣接基地局へ負荷および干渉協調情報を伝送するために用いられるメッセージである。
【００５１】
図４は、加害セル基地局と被害セル基地局とのネゴシエーション手順の模式図であり、加害セル基地局と被害セル基地局とが被害ユーザ情報の報告方式および報告すべき被害ユーザ情報をネゴシエートする手順を示す。当該手順は、以下のステップを含む。
【００５２】
ステップ４０１では、加害セル基地局は、被害セル基地局が被害ユーザ情報を報告する方式と、報告すべき被害ユーザ情報とを送信する。
【００５３】
被害セル基地局が被害ユーザ情報を報告する方式と、報告すべき被害ユーザ情報とを送信することは、加害セル基地局が被害セル基地局へリソース状態要求メッセージを送信することで実現されてもよい。
【００５４】
ステップ４０２では、被害セル基地局が被害ユーザ情報の報告方式および報告すべき被害ユーザ情報を受信し、現在の干渉状況に基づいて、受信した被害ユーザ情報の報告方式および報告すべき被害ユーザ情報が適切であるか否かを判断し、適切であれば、加害セル基地局へリソース状態応答メッセージを返信し、適切でなければ、加害セル基地局へリソース状態失敗メッセージを返信する。
【００５５】
好ましくは、リソース状態失敗メッセージには、失敗原因、待機時間（Ｔｉｍｅ ｔｏ Ｗａｉｔ）が付加されている。加害セル基地局は、当該失敗原因に基づいてリソース状態要求を再送するか否かを決定し、リソース状態要求の再送が必要と決定した場合、前記待機時間までに、リソース状態要求を再送する。
【００５６】
上記被害ユーザ情報の報告方式は、少なくとも報告周期または報告条件を含む。即ち、被害セル基地局が報告周期に応じて被害ユーザ情報を報告し、または、報告条件に合致するとき、被害ユーザ情報を報告する。前記報告条件は、被害ユーザ数がある閾値に達すること、または、被害ユーザ数の変化量がある閾値に達することを含んでもよい。
【００５７】
前記干渉状況に基づいて、付加された被害ユーザ情報の報告方式および報告すべき被害ユーザ情報が適切であるか否かを判断することは、具体的に、前記報告周期および報告条件を現在の干渉状況に基づいて判断してもよく、干渉が小さく且つ変化が大きくない場合、頻繁にリソースを調整することを必要とせず、報告周期を長めに設定してもく、報告条件での閾値も大きめに設定してもよい。干渉が大きく且つ変化が頻繁である場合、報告周期を短めに設定し、報告条件での閾値も小さめに設定してもよい。
【００５８】
報告された被害ユーザ情報は、測定識別子、報告特徴（ＲＣ、Ｒｅｐｏｒｔ Ｃｈａｒａｃｔｅｒｉｓｔｉｃｓ）、測定セル識別子を含んでもよい。前記報告特徴には、被害ユーザ数を含め、前記被害ユーザ数は、ＲＣの６番目のビットによって示される。測定識別子とは、今回の測定タスクの識別子を指し、測定セル識別子とは、今回の測定対象の識別子を指し、今回の測定タスクにおいてどれらの測定セルが指定の内容を報告するかを示す。
【００５９】
図５は、加害セル基地局による物理リソースの再割当決定手順のフローチャートであり、実施例一のステップ２０３における物理リソースを再割り当てる必要があるか否かを判断する手順を示す。当該手順は、以下のステップを含む。
【００６０】
ステップ５０１では、被害ユーザへ割り当てられている現在の物理リソースに収容されているユーザの数を算出する。ただし、物理リソースに収容されているユーザの数は、物理リソース数に単位物理リソースに収容されたユーザの数を乗じた結果となる。
【００６１】
ステップ５０２では、被害ユーザの数が以下のいずれかの条件に合致するとき、物理リソースを再割り当てる必要があると判定する。
（１）被害ユーザの数が、被害ユーザへ割り当てられている現在の物理リソースに収容されているユーザの数に対する割合は、所定比に達する。
（２）被害ユーザの数が、被害ユーザへ割り当てられている現在の物理リソースに収容されているユーザの数に等しい。
（３）被害ユーザの数が、被害ユーザへ割り当てられている現在の物理リソースに収容されているユーザの数を上回る。
適切でなければ、物理リソースを再割り当てる必要がないと判定し、現在の処理フローを終了する。
【００６２】
図６は、加害セル基地局あるいは被害セル基地局が物理リソースを再度整理して割り当てるフローチャートである。加害セル基地局と被害セル基地局が物理リソースを再度整理して割り当てる手順は、以下のステップを含む。
【００６３】
ステップ６０１では、物理リソースの割り当ておよび解放が便利になるように、加害セル基地局と被害セル基地局のそれぞれが制御チャネルのための物理リソース情報に基づいて物理リソースプールを整理する。
【００６４】
上記物理リソースプールを整理することは、下記のことを含む。前記物理リソース情報に基づいて被害ユーザの制御チャネルの物理リソースを特定する。つまり、その部分の物理リソースが被害ユーザによって使用される。そして、プリーセットしたトータルの制御チャネルの物理リソースから、前記被害ユーザの制御チャネルの物理リソースを排除し、当該部分の物理リソースは、非被害ユーザによって使用される。
【００６５】
ステップ６０２では、自基地局のセルにアクセスされたあらゆるＵＥにわたって、ＵＥへ割り当てられた制御チャネルの物理リソースが対応する物理リソースプールの範囲内に存在しない場合、当該物理リソースを回収し、対応する物理リソースプール内で物理リソースを当該ＵＥへ再割り当て、無線リソース制御（ＲＲＣ、Ｒａｄｉｏ Ｒｅｓｏｕｒｃｅ Ｃｏｎｔｒｏｌ）接続再設定メッセージをＵＥへ送信して、ＵＥへ配置する物理リソースを更新する。
【００６６】
ステップ６０３では、ＵＥがＲＲＣ接続再設定メッセージの処理に成功した後、基地局へＲＲＣ接続再設定完了を返信する。
【００６７】
説明すべきことは、新たにアクセスされたユーザ機器に対して、対応する前記物理リソースプールから制御チャネルの物理リソースを直接割り当てる。
【００６８】
図７は、本発明の実施例による制御チャネル干渉協調システムの模式図である。当該システムは、被害セル基地局および加害セル基地局を含み、前記被害セル基地局は、被害ユーザ情報を測定して加害セル基地局へ報告し、加害セル基地局から伝送された制御チャネルのための物理リソース情報を受信し、前記物理リソース情報に基づいて物理リソースを割り当てるように構成され、前記加害セル基地局は、被害セル基地局から報告された被害ユーザ情報を受信し、受信された前記被害ユーザ情報に基づいて制御チャネルのための物理リソース情報を特定し、前記物理リソース情報に基づいて物理リソースを割り当て、前記制御チャネルのための物理リソース情報を被害セル基地局へ伝送するように構成される。
【００６９】
前記加害セル基地局は、さらに、受信された被害ユーザ情報に基づいて、物理リソースを再割り当てる必要があるか否かを判断するように構成される。
【００７０】
図７は、さらに、本発明の実施例による制御チャネル干渉協調装置を示す。
制御チャネル干渉協調装置一は、被害ユーザ情報を受信するように構成される受信モジュール一と、制御チャネルのための物理リソース情報を特定し、前記物理リソース情報に基づいて物理リソースを整理して割り当てるように構成される再割当モジュール一と、前記物理リソース情報を伝送するように構成される伝送モジュールと、を備える。
【００７１】
好ましくは、当該装置は、さらに、受信された被害ユーザ情報に基づいて、物理リソースを再割り当てる必要があるか否かを判断するように構成される判定モジュールを備える。
【００７２】
説明すべきことは、上記受信モジュール一と伝送モジュールが制御チャネル干渉協調装置一の通信機能チップによって実現されてもよく、再割当モジュール一と判定モジュールが制御チャネル干渉協調装置一の中央処理装置（ＣＰＵ、Ｃｅｎｔｒａｌ Ｐｒｏｃｅｓｓｉｎｇ Ｕｎｉｔ）、マイクロプロセッサ（ＭＰＵ、Ｍｉｃｒｏ Ｐｒｏｃｅｓｓｉｎｇ Ｕｎｉｔ）、デジタル信号プロセッサ（ＤＳＰ、Ｄｉｇｉｔａｌ Ｓｉｇｎａｌ Ｐｒｏｃｅｓｓｏｒ）またはフィールド・プログラマブル・ゲート・アレイ（ＦＰＧＡ、Ｆｉｅｌｄ−Ｐｒｏｇｒａｍｍａｂｌｅ Ｇａｔｅ Ａｒｒａｙ）によって実現されてもよい。
【００７３】
制御チャネル干渉協調装置二は、被害ユーザ情報を測定するように構成される測定モジュールと、被害ユーザ情報を報告するように構成される報告モジュールと、制御チャネルのための物理リソース情報を受信するように構成される受信モジュール二と、前記物理リソース情報に基づいて物理リソースを整理して割り当てるように構成される再割当モジュール二とを備える。
【００７４】
好ましくは、前記受信モジュール二は、さらに、被害ユーザ情報の報告方式と、報告すべき被害ユーザ情報とを受信するように構成され、前記装置は、さらに判断モジュールを備え、当該判断モジュールは、受信された被害ユーザ情報の報告方式および報告すべき被害ユーザ情報が適切であるか否かを判断し、適切であれば、加害セル基地局へリソース状態応答メッセージを返信し、適切でなければ、加害セル基地局へリソース状態失敗メッセージを返信するように構成される。
【００７５】
説明すべきことは、上記報告モジュールと受信モジュール二が制御チャネル干渉協調装置二の通信機能チップによって実現されてもよく、測定モジュール、再割当モジュール二と判断モジュールが制御チャネル干渉協調装置二のＣＰＵ、ＭＰＵ、ＤＳＰまたはＦＰＧＡによって実現されてもよい。
【００７６】
本発明の実施例は、さらにコンピュータ読取可能な記憶媒体を提供する。前記記憶媒体は、１セットのコンピュータ実行可能な命令を含み、前記命令は、本発明の実施例による被害セル基地局側の制御チャネル干渉協調方法を実行するために用いられる。
【００７７】
本発明の実施例は、さらにコンピュータ読取可能な記憶媒体を提供する。前記記憶媒体は、１セットのコンピュータ実行可能な命令を含み、前記命令は、本発明の実施例による加害セル基地局側の制御チャネル干渉協調方法を実行するために用いられる。
【００７８】
上述したのは、単に本発明の好適な実施例に過ぎず、本発明の保護範囲を限定するためのものではない。
【図１】
0006298891.tif 000002
【図２】
0006298891.tif 000003
【図３】
0006298891.tif 000004
【図４】
0006298891.tif 000005
【図５】
0006298891.tif 000006
【図６】
0006298891.tif 000007
【図７】
0006298891.tif 000008